(57)【要約】【課題】  光通信ネットワークシステムにおける波長パスの設定・変更が短時間に実行できるようにする。【解決手段】  ＷＤＭ装置Ｙ−１、及びＷＤＭ装置Ｙ−２は、一方のポートから合波光信号を受入れて他方のポートから複数チャネルの同一波長の単波光信号を出力し、光クロスコネクトスイッチＯＸＣは、一方のポートから複数チャネルの同一波長の単波光信号を受入れて光方路変換し、他方のチャネルに出力し、ＷＤＭ装置Ｙ−１の他方のポートと光クロスコネクトスイッチＯＸＣの一方のポートとを接続し、ＷＤＭ装置Ｙ−２の他方のポートと光クロスコネクトスイッチＯＸＣの一方のポートとを接続し、ＷＤＭ装置Ｙ−１、及びＷＤＭ装置Ｙ−２の上記一方のポートを介して上記合波光信号を中継する。【選択図】        図１
2007259272.tif 000002
【特許請求の範囲】
【請求項１】
一方のポートから合波光信号を受入れて他方のポートから複数チャネルの同一波長の単波光信号を出力し、前記他方のポートから複数チャネルの同一波長の単波光信号を受入れて前記一方のポートから合波光信号を出力する、第１の光合波分波装置及び第２の光合波分波装置と、
一方のポートから複数チャネルの同一波長の単波光信号を受入れて光方路変換し、他方のチャネルから出力する光方路切替装置とを有し、
前記第１の光合波分波装置の他方のポートと前記光方路切替装置の一方のポートとを接続し、前記第２の光合波分波装置の前記他方のポートと前記光方路切替装置の他方のポートとを接続し、前記第１の光合波分波装置及び前記第２の光合波分波装置の前記一方のポートを介して前記合波光信号を中継する光クロスコネクトノードを備えることを特徴とする光通信ネットワークシステム。
【請求項２】
前記第１の光合波分波装置及び第２の光合波分波装置は、
一方のポートから合波光信号を受入れると、他方のポートからそれぞれ波長の異なる複数の単波光信号を出力し、前記他方のポートから、それぞれ波長の異なる複数の単波光信号を受入れると、前記一方のポートから合波光信号を出力する光分波合波フィルタと、
複数チャネルの波長変換器からなり、一方のポートから、それぞれ波長の異なる複数チャネルの単波光信号を受入れると、前記複数チャネルの単波光信号のそれぞれを複数チャネルの同一波長の単波光信号に変換して他方のポートから出力し、前記他方のポートから複数チャネルの同一波長の単波光信号を受入れると、前記複数チャネルの同一波長の単波光信号のそれぞれを複数チャネルのそれぞれ波長の異なる単波光信号に変換して前記一方のポートから出力する波長変換器群とを有し、
前記光分波合波フィルタの前記他方のポートと、前記波長変換器群の前記一方のポートとを接続して成ることを特徴とする請求項１に記載の光通信ネットワークシステム。
【請求項３】
前記光通信ネットワークシステムのシステム構成、及び、該システム構成に含まれる光ノード情報を予め格納する接続ノード情報記憶部と、
前記光通信ネットワークシステムに設定されている既存の波長パス情報を格納する既存波長パス記憶部と、
前記接続ノード情報記憶部、及び、前記既存波長パス記憶部が格納する格納情報に基づいて、前記光通信ネットワークシステムに未設定の波長パスを設定する波長パス設定部とを有する管理運用システムを更に備えることを特徴とする請求項１又は、請求項２に記載の光通信ネットワークシステム。
【請求項４】
前記波長パス設定部は、
設定する波長パスを繋ぐ波長変換器を点灯する点灯手段と、変更又は消滅する波長パスを切断する波長変換器を消灯する消灯手段とを有することを特徴とする請求項３に記載の光通信ネットワークシステム。
【請求項５】
請求項１に記載の光クロスコネクト装置を複数備え、該複数の光クロスコネクト装置を光線路で接続してなる光ネットワークリングを備えることを特徴とする光通信ネットワークシステム。
【請求項６】
前記光ネットワークリングを複数備え、該複数の光ネットワークリングのそれぞれを並列接続して中継する第３の光クロスコネクト装置を備えることを特徴とする請求項５に記載の光通信ネットワークシステム。
【発明の詳細な説明】
【技術分野】
【０００１】
本発明は、ルータ装置、及び、ＷＤＭ（波長分割多重）装置を用いて構成される光通信ネットワークシステムに関する。
【背景技術】
【０００２】
大容量の通信回線を中継する光通信ネットワークシステムでは、ルータ装置、及び、ＷＤＭ装置、光線路（光ファイバ）を介して所望の波長パスが設定される。ここでＷＤＭ装置とは、一方のポート（以後Ｆポートと記す）から、例えば波長λ１、波長λ２、波長λ３の合波光信号を受入れると、他方の複数のポート（以後Ｂポートと記す）から、全て波長λ０に等しい単波光信号に変換して出力し、上記Ｂポートから、全て波長λ０に等しい複数の単波光信号を受入れると、上記Ｆポートから波長λ１、波長λ２、波長λ３の合波光信号を出力する光合波分波装置である。
【０００３】
図７は、従来の光波長パス設定方法の説明図である。
図に示すように従来の光通信ネットワークシステムは、それぞれ光線路（光ファイバ）で接続されるＡ局と、Ｂ局と、Ｃ局とを含む。Ａ局には、ＷＤＭ装置Ａ−１が配設されＷＤＭ装置Ａ−１のＢポートには、それぞれエンドユーザに繋がる、ルータＲＡ−１、ルータＲＡ−２、ルータＲＡ−３が、それぞれ接続される。ＷＤＭ装置Ａ−１のＦポートは光線路６０に接続される。
【０００４】
Ｃ局には、ＷＤＭ装置Ｃ−１が配設されＷＤＭ装置Ｃ−１のＢポートには、それぞれエンドユーザに繋がる、ルータＲＣ−１、ルータＲＣ−２、ルータＲＣ−３が、それぞれ接続される。ＷＤＭ装置Ｃ−１のＦポートは光線路７０に接続される。
【０００５】
Ｂ局には、ＷＤＭ装置Ｂ−１、ＷＤＭ装置Ｂ−２、及び、ルータＲＢ−１、ルータＲＢ−２、ルータＲＢ−３が配設される。ＷＤＭ装置Ｂ−１のＦポートは光線路６０に接続される。ＷＤＭ装置Ｂ−２のＦポートは光線路７０に接続される。又、ＷＤＭ装置Ｂ−１、及び、ＷＤＭ装置Ｂ−２のＢポートは、それぞれ既存の波長パスに対応する接続がなされている。図では、Ａ局のルータＲＡ−１とＢ局のルータＲＢ−１とを接続する波長パスＬ１、及び、Ａ局のルータＲＡ−２とＢ局のルータＲＣ−２とを接続する波長パスＬ２とが既に設定されていることを表している。
【０００６】
ここで、Ａ局のルータＲＡ−３とＣ局のルータＲＣ−１との間に新たに波長パスの追加が求められているものとする。かかる場合には、Ｂ局内においてＷＤＭ装置Ｂ−１のλ３トランスポンダと、同じくＢ局内においてＷＤＭ装置Ｂ−２のλ１トランスポンダとを接続する必要がある。かかる場合に、図に示す従来の光通信ネットワークシステムでは、作業者が出向いて両トランスポンダを接続していた。
【０００７】
また図中のルータ用監視制御網Ｎ１は、監視制御端末装置Ｒを備え、ネットワークに含まれている全てのルータに電気的に接続し、その各々のルータを個別に監視していた。ＷＤＭ用監視制御網Ｎ２は、監視制御端末装置Ｗを備え、ネットワークに含まれている全てのＷＤＭ装置に電気的に接続し、その各々のＷＤＭ装置を個別に監視していた。
【特許文献１】特開２００３−２３４７７１号公報
【発明の開示】
【発明が解決しようとする課題】
【０００８】
解決しようとする問題点は、上記従来の技術では、波長パスの設定には、作業者が出向いて両トランスポンダを接続しなければならなかったので、開通までに長時間を要していた。又、波長パスの設定（変更）コストが大きくなっていた。更に、上記両トランスポンダ間の接続が固定的（光ファイバの接続工事を伴う）なので、一旦波長パスの設定（変更）後は、波長リソースの有効利用が難しいという解決すべき課題が残されていた。
【課題を解決するための手段】
【０００９】
本発明は、光通信ネットワークシステムであって、一方のポートから合波光信号を受入れて他方のポートから複数チャネルの同一波長の単波光信号を出力し、上記他方のポートから複数チャネルの同一波長の単波光信号を受入れて上記一方のポートから合波光信号を出力する、第１の光合波分波装置及び第２の光合波分波装置と、一方のポートから複数チャネルの同一波長の単波光信号を受入れて光方路変換し、他方のチャネルから出力する光方路切替装置とを有し、上記第１の光合波分波装置の他方のポートと上記光方路切替装置の一方のポートとを接続し、上記第２の光合波分波装置の上記他方のポートと上記光方路切替装置の他方のポートとを接続し、上記第１の光合波分波装置及び上記第２の光合波分波装置の上記一方のポートを介して上記合波光信号を中継する光クロスコネクト装置を備えることを主要な特徴とする。
【発明の効果】
【００１０】
第１の光合波分波装置と、第２の光合波分波装置との間に光方路切替装置を配設することによって、波長パスの設定・変更が短時間に実行できるようになったので、迅速なサービス提供が可能になり、通信サービスプロバイダの収益向上が期待できるという効果を得る。更に、波長パスの設定・変更には、光ファイバの接続工事が不要になったので、通信サービスプロバイダの設備コストが削減されるという効果を得る。
【実施例１】
【００１１】
図１は、実施例１の光通信ネットワークシステムのシステム構成図である。
図に示すように、実施例１の光通信ネットワークシステムは、それぞれ光線路Ｘ―Ｙ、及び、光線路Ｙ−Ｚで接続される、Ｘ局と、Ｙ局と、Ｚ局とを含む。Ｘ局には、ＷＤＭ装置Ｘ−１、ルータＲＸ−１、ルータＲＸ−２、及びルータＲＸ−３が配設される。Ｙ局には、ＷＤＭ装置Ｙ−１、光クロスコネクトスイッチＯＸＣ、ＷＤＭ装置Ｙ−２、ルータＲＹ−１、ルータＲＹ−２、及び、ルータＲＹ−３が、配設される。Ｚ局には、ＷＤＭ装置Ｚ−１、ルータＲＺ−１、ルータＲＺ−２、及びルータＲＺ−３が配設される。更に、これらの構成部分は、共通監視制御網ＮＴに通信接続され、監視制御端末装置ＲＷＯを介してネットワーク管理者により一括管理される。
【００１２】
ＷＤＭ装置Ｘ−１は、Ｘ局内に於いて、ルータＲＸ−１、ルータＲＸ−２、ルータＲＸ−３から、波長λ０の単波光信号を受入れて、それぞれ波長λ１の単波光信号、波長λ２の単波光信号、波長λ３の単波光信号に波長変換し、合波光信号（λ１、λ２、λ３）として光線路Ｘ−Ｙを介してＹ局へ送信する部分である。又、Ｙ局から光線路Ｘ−Ｙを介して合波光信号（λ１、λ２、λ３）を受信し、波長λ１の単波光信号、波長λ２の単波光信号、波長λ３の単波光信号に分波し、これらの単波光信号を個々に波長λ０の単波光信号に波長変換し、ルータＲＸ−１、ルータＲＸ−２、ルータＲＸ−３へ送出する部分でもある。
【００１３】
ＷＤＭ装置Ｚ−１は、Ｚ局内に於いて、ルータＲＺ−１、ルータＲＺ−２、ルータＲＺ−３から、波長λ０の単波光信号を受入れて、それぞれ波長λ１の単波光信号、波長λ２の単波光信号、波長λ３の単波光信号に波長変換し、合波光信号（λ１、λ２、λ３）として光線路Ｙ―Ｚを介してＹ局へ送信する部分である。又、Ｙ局から光線路Ｙ―Ｚを介して合波光信号（λ１、λ２、λ３）を受信し、波長λ１の単波光信号、波長λ２の単波光信号、波長λ３の単波光信号に分波し、これらの単波光信号を個々に波長λ０の単波光信号に波長変換し、ルータＲＺ−１、ルータＲＺ−２、ルータＲＺ−３へ送出する部分でもある。
【００１４】
ＷＤＭ装置Ｙ−１はＹ局内に於いて、Ｘ局から光線路Ｘ―Ｙを介して合波光信号（λ１、λ２、λ３）を受信し、波長λ１の単波光信号、波長λ２の単波光信号、波長λ３の単波光信号に分波し、これらの単波光信号を個々に波長λ０の単波光信号に波長変換し、光クロスコネクトスイッチＯＸＣの一方のポートへ送出する部分である。又、光クロスコネクトスイッチＯＸＣの一方のポートから波長λ０の単波光信号を複数受入れて、それぞれ波長λ１の単波光信号、波長λ２の単波光信号、波長λ３の単波光信号に波長変換し、合波光信号（λ１、λ２、λ３）として光線路Ｘ―Ｙを介してＸ局へ送信する部分である。
【００１５】
ＷＤＭ装置Ｙ−２はＹ局内に於いて、Ｚ局から光線路Ｙ―Ｚを介して合波光信号（λ１、λ２、λ３）を受信し、波長λ１の単波光信号、波長λ２の単波光信号、波長λ３の単波光信号に分波し、これらの単波光信号を個々に波長λ０の単波光信号に波長変換し、光クロスコネクトスイッチＯＸＣの他方のポートへ送出する部分である。又、光クロスコネクトスイッチＯＸＣの他方のポートから波長λ０の単波光信号を複数受入れて、それぞれ波長λ１の単波光信号、波長λ２の単波光信号、波長λ３の単波光信号に波長変換し、合波光信号（λ１、λ２、λ３）として光線路Ｙ―Ｚを介してＺ局へ送信する部分である。
【００１６】
以下に、上記ＷＤＭ装置Ｘ−１を一例に挙げて、ＷＤＭ装置の詳細について説明する。
ＷＤＭ装置Ｘ−１は、一方のポート（以後Ｆポートと記す）から合波光信号（λ１、λ２、λ３）を受入れると、その内部で一旦、波長λ１の単波光信号、波長λ２の単波光信号、波長λ３の単波信号に分波し、更に、分波された単波光信号のそれぞれを波長λ０の単波光信号に波長変換して他方のポート（以後Ｂポートと記す）から出力する波長分割多重装置である。又、Ｂポートから波長λ０の単波光信号を複数チャネル受入れて、第１のチャネルを波長λ１の単波光信号に、第２のチャネルを波長λ２の単波光信号に、第３のチャネルを波長λ３の単波光信号に、それぞれ変換し、更に、波長λ１の単波光信号、波長λ２の単波光信号、及び波長λ３の単波光信号を合波し、合波光信号（λ１、λ２、λ３）として出力する波長分割多重装置でもある。ここでは、説明の都合上、一例として、単波光信号を波長λ１の単波光信号、波長λ２の単波光信号、及び波長λ３の３波長に限定して説明したが（以後の本実施例の説明でも同様）、本発明はこの例に限定されるものでは無い。単波光信号は、波長λ１〜波長λｎまでｎ波長含むことが可能である。
【００１７】
図２は、ＷＤＭ装置の説明図である。
ＷＤＭ装置（Ｘ−１、Ｙ−１、Ｙ−２、Ｚ−１）は、全て同一構成、且つ、同一機能なので、ここではＷＤＭ装置Ｙ−１を例として挙げ、その構成とその機能について説明する。図に示すように、ＷＤＭ装置Ｙ−１は、光分波・合波フィルタ１１と、λ１トランスポンダ１２と、λ２トランスポンダ１３と、λ３トランスポンダ１４と、監視・制御部１５とを有している。
【００１８】
光分波・合波フィルタ１１は、合波光信号を図中左側のポートから受入れて、波長の異なる複数の単波光信号に分波して図中右側のポートへ出力し、図中右側から波長の異なる複数の単波光信号を受入れて合波光信号を出力する光デバイスである。
【００１９】
λ１トランスポンダ１２は、図中左側のポートから波長λ１の単波光信号を受入れて波長λ０の単波光信号に波長変換して図中右側のポートから出力し、図中右側のポートから波長λ０の単波光信号を受入れて波長λ１の単波光信号に波長変換して図中左側のポートから出力する波長変換器である。
【００２０】
λ２トランスポンダ１３は、図中左側のポートから波長λ２の単波光信号を受入れて波長λ０の光信号に波長変換して図中右側のポートから出力し、図中右側のポートから波長λ０の単波光信号を受入れて波長λ２の単波光信号に波長変換して図中左側のポートから出力する波長変換器である。
【００２１】
λ３トランスポンダ１４は、図中左側のポートから波長λ３の単波光信号を受入れて波長λ０の単波光信号に波長変換して図中右側のポートから出力し、図中右側のポートから波長λ０の単波光信号を受入れて波長λ３の単波光信号に波長変換して図中左側のポートから出力する波長変換器である。
【００２２】
ＷＤＭ装置Ｙ−１は、図に示すように、光分波・合波フィルタ１１の単波光信号λ１を出力するポートに、λ１トランスポンダ１２の波長λ１を入出力するポートを接続し、光分波・合波フィルタ１１の単波光信号λ２を出力するポートに、λ２トランスポンダ１３の波長λ２を入出力するポートを接続し、光分波・合波フィルタ１１の単波光信号λ３を出力するポートに、λ３トランスポンダ１４の波長λ３を入出力するポートを接続し構成される。従って、Ｆポートから合波光信号（λ１、λ２、λ３）を受入れると、Ｂポートから、それぞれ波長λ０の単波光信号を３チャネル出力し、上記Ｂポートから、それぞれ波長λ０の単波光信号を３チャネル受入れると、上記Ｆポートから合波光信号（λ１、λ２、λ３）を出力することになる。
【００２３】
監視・制御部１５は、監視制御網Ｎ１を介して監視制御端末装置Ｒから受入れるパス設定信号Ｓ１に基づいて、λ１トランスポンダ１２、λ２トランスポンダ１３、λ３トランスポンダ１４を個々に点灯し、監視制御端末装置Ｒから受入れる解除メッセージ信号Ｓ２に基づいて、その点灯を個々に消灯する部分である。
【００２４】
図１に戻って、ルータＲＸ−１は、ＷＤＭ装置Ａ−１のλ１トランスポンダに接続し、図示しないＬＡＮ（ローカルエリアネットワーク）を介してエンドユーザとの間で交信する部分である。ルータＲＸ−２は、ＷＤＭ装置Ａ−１のλ２トランスポンダに接続し、図示しないＬＡＮ（ローカルエリアネットワーク）を介してエンドユーザとの間で交信する部分である。ルータＸＡ−３は、ＷＤＭ装置Ａ−１のλ３トランスポンダに接続し、図示しないＬＡＮ（ローカルエリアネットワーク）を介してエンドユーザとの間で交信する部分である。
【００２５】
ルータＲＺ−１は、ＷＤＭ装置Ｚ−１のλ１トランスポンダに接続し、図示しないＬＡＮ（ローカルエリアネットワーク）を介してエンドユーザとの間で交信する部分である。ルータＲＺ−２は、ＷＤＭ装置Ｚ−１のλ２トランスポンダに接続し、図示しないＬＡＮ（ローカルエリアネットワーク）を介してエンドユーザとの間で交信する部分である。ルータＲＺ−３は、ＷＤＭ装置Ｚ−１のλ３トランスポンダに接続し、図示しないＬＡＮ（ローカルエリアネットワーク）を介してエンドユーザとの間で交信する部分である。
【００２６】
光クロスコネクトスイッチＯＸＣは、ＷＤＭ装置Ｙ−１の、λ１トランスポンダ、λ２トランスポンダ、λ３トランスポンダからそれぞれ波長λ０の単波光信号を受入れて、光方路切替を行い、ＷＤＭ装置Ｙ−２の、λ１トランスポンダ、λ２トランスポンダ、λ３トランスポンダへ送出する、オール光タイプのクロスコネクトスイッチである。更に、ＷＤＭ装置Ｙ−２の、λ１トランスポンダ、λ２トランスポンダ、λ３トランスポンダからそれぞれ波長λ０の単波光信号を受入れて、光方路切替を行い、ＷＤＭ装置Ｙ−１の、λ１トランスポンダ、λ２トランスポンダ、λ３トランスポンダへ送出する部分でもある。あるいは又、光方路切替を行いルータＲＹ−１、ルータＲＹ−２、ルータＲＹ−３へ出力する部分である。ルータＲＹ−１、ルータＲＹ−２、ルータＲＹ−３は、光クロスコネクトスイッチＯＸＣと直接接続し、図示しないＬＡＮ（ローカルエリアネットワーク）を介してエンドユーザとの間で交信する部分である。
【００２７】
光クロスコネクトスイッチの内容について図を用いて詳細に説明する。
図３は、実施例１の光クロスコネクトノードの説明図である。
図に示すように、実施例１の光クロスコネクトノード１００では、光クロスコネクトスイッチＯＸＣの一方のポートにＷＤＭ装置Ｙ−１のＢポートが、他方のポートにＷＤＭ装置Ｙ−２のＢポートが、それぞれ接続されている。ＷＤＭ装置Ｙ−１のλ１トランスポンダ、λ２トランスポンダ、λ３トランスポンダからそれぞれ波長λ０の単波光信号を受入れて光方路変換してＷＤＭ装置Ｙ−２のλ１トランスポンダ、λ２トランスポンダ、λ３トランスポンダへ出力する。あるいは又、ＷＤＭ装置Ｙ−２のλ１トランスポンダ、λ２トランスポンダ、λ３トランスポンダからそれぞれ波長λ０の単波光信号を受入れて光方路変換してＷＤＭ装置Ｙ−１のλ１トランスポンダ、λ２トランスポンダ、λ３トランスポンダへ出力する。ここで、光方路変換は、監視制御端末装置ＲＷＯ（図１）から共通監視制御網ＮＴ（図１）を介して、監視・制御部２０が受入れる方路切替信号Ｓ３に基づいて実行される。
【００２８】
図１に戻って、監視制御端末装置ＲＷＯは、接続ノード情報記憶部ＲＷＯ−１と、既存波長パス記憶部ＲＷＯ−２と、追加波長パス生成部ＲＷＯ−３と、追加波長パス設定部ＲＷＯ−４とを備え、共通監視制御網ＮＴを介して光通信ネットワーク全体を監視し、更に、既存の波長パスを維持管理し、新規波長パスを設定する部分である。
【００２９】
接続ノード情報記憶部ＲＷＯ−１は、ネットワークのトポロジー情報、光通信ネットワークに接続されている全てのノードについてのノード情報を予め格納する記憶部である。ノード情報には、各ノードの機能、各ノードが配設されているネットワーク中での位置、許容帯域や周波数等の性能が含まれている。
【００３０】
既存波長パス記憶部ＲＷＯ−２は、光通信ネットワーク中に既に設定されている波長パスの内容が格納される。波長パスの内容には、波長パスの始点ノード、波長パスの終点ノード、波長パスの始点から終点に至るまでに光信号が通過するノード、等が含まれる。既存の波長パスの内容が変更された場合には、変更後の内容と共に、変更履歴なども記憶される。
【００３１】
追加波長パス生成部ＲＷＯ−３は、ネットワーク管理者から新規波長パスの設定要求を受入れると、接続ノード情報記憶部ＲＷＯ−１、及び既存波長パス記憶部ＲＷＯ−２を参照して、ネットワーク管理者が指定しているパスの始点ノードから終点ノードに至る経路（各ノード）をホップバイホップで生成する部分である。
【００３２】
追加波長パス設定部ＲＷＯ−４は、追加波長パス生成部ＲＷＯ−３が生成した追加波長パスを確認し、異常がなければ追加設定し、既存波長パス記憶部ＲＷＯ−２に追加して格納する部分である。更に、パス設定信号Ｓ１（図２）を設定する波長パスを繋ぐ波長変換器へ送出して点灯する点灯手段と、解除メッセージ信号Ｓ２（図２）を変更又は消滅する波長パスを切断する波長変換器へ送出して消灯する消灯手段とを有することを特徴とする請求項３に記載の光通信ネットワークシステム。
【００３３】
以下に、一例としてネットワーク管理者がＸ局のルータＲＸ−３と、Ｚ局のルータＲＺ−１との間に波長パスＬ３の設定を行なう場合における、波長パスＬ３の設定手順について説明する。以下の説明では、Ｘ局のルータＲＸ−１から、ＷＤＭ装置Ｘ−１のλ１トランスポンダ、Ｙ局のＷＤＭ装置Ｙ−１のλ１トランスポンダ、光クロスコネクトスイッチＯＸＣを介してＹ局のルータＲＹ−１に至る波長パスＬ１と、Ｘ局のルータＲＸ−２から、ＷＤＭ装置Ｘ−１のλ２トランスポンダ、Ｙ局のＷＤＭ装置Ｙ−１のλ２トランスポンダ、光クロスコネクトスイッチＯＸＣ、Ｙ局のＷＤＭ装置Ｙ−２のλ２トランスポンダ、Ｚ局のＷＤＭ装置Ｚ−１のλ２トランスポンダを介してＺ局のルータＲＺ−２に至る波長パスＬ２は、既に設定されているものとする。
【００３４】
手順１
ネットワーク管理者が、Ｘ局のルータＲＸ−３と、Ｚ局のルータＲＺ−１との間に波長パスＬ３の追加設定を要求すると、追加波長パス生成部ＲＷＯ−３は、接続ノード情報記憶部ＲＷＯ−１、及び、既存波長パス記憶部ＲＷＯ−２の内容を参酌し、各ノードに対してパス設定メッセージを送出し、始点から終点に向けてホップバイホップで波長パスを生成する。最終的には、Ｘ局のルータＲＸ−３からＷＤＭ装置Ｙ−１のλ３トランスポンダ、Ｙ局のＷＤＭ装置Ｙ−１のλ３トランスポンダ、光クロスコネクトスイッチＯＸＣ、Ｙ局のＷＤＭ装置Ｙ−２のλ１トランスポンダ、Ｚ局のＷＤＭ装置Ｚ−１のλ１トランスポンダを通って、Ｚ局のルータＲＺ−１に至る波長パスＬ３が生成される。尚、ここでは、Ｘ局のルータＲＸ−３からＷＤＭ装置Ｙ−１のλ３トランスポンダ、Ｙ局のＷＤＭ装置Ｙ−１のλ３トランスポンダ、光クロスコネクトスイッチＯＸＣに至る間と、光クロスコネクトスイッチＯＸＣ、Ｙ局のＷＤＭ装置Ｙ−２のλ１トランスポンダ、Ｚ局のＷＤＭ装置Ｚ−１のλ１トランスポンダを通って、Ｚ局のルータＲＺ−１に至る間は、光方路が一義的に設定されてしまうことになる。従って、実質的な光方路設定は、光クロスコネクトスイッチＯＸＣにおいてのみ実行されることに成る。
【００３５】
手順２
追加波長パス生成部ＲＷＯ−３が、波長パスＬ３の生成を終了すると、追加波長パス設定部ＲＷＯ−４は、ＷＤＭ装置Ｙ−１のλ３トランスポンダ、ＷＤＭ装置Ｙ−１のλ３トランスポンダ、Ｙ局のＷＤＭ装置Ｙ−２のλ１トランスポンダ、Ｚ局のＷＤＭ装置Ｚ−１のλ１トランスポンダに対してパス設定信号Ｓ１（図２）を送出し、各トランスポンダ中のレーザダイオードを発光させる。更に、光クロスコネクトスイッチＯＸＣに対して方路切替信号Ｓ３（図３）を送出して波長パスＬ３を設定する。
【００３６】
手順３
追加波長パス設定部ＲＷＯ−４は、この波長パスＬ３を既存波長パス記憶部ＲＷＯ−２へ格納して波長パスＬ３の設定を完了する。
【００３７】
上記説明では、波長パスの設定のみについて説明したが、波長パスを解除する場合には、ネットワーク管理者が削除を求める波長パスについて、追加波長パス設定部ＲＷＯ−４が、削除が求められている波長パスに含まれているトランスポンダに、解除メッセージ信号Ｓ２を送出し、各トランスポンダ中のレーザダイオードの発光を停止（消灯）させ、同時に、光クロスコネクトスイッチＯＸＣに対して方路切替信号Ｓ３（図３）を送出して波長パスを解除する。又、波長パスの変更については、波長パスの設定、及び波長パスの解除に準じて実行される。
【００３８】
以上説明したように、本実施例によれば、Ｘ局とＺ局を中継するＹ局に於いて、ＷＤＭ装置Ｙ−１と、ＷＤＭ装置Ｙ−２との間に光クロスコネクトスイッチＯＸＣを配設することによって、波長パスの設定・変更が短時間に実行できるようになる。その結果、迅速なサービス提供が可能になり、通信サービスプロバイダの収益向上が期待できるという効果を得る。更に、波長パスの設定・変更には、光ファイバの接続工事が不要になったので、通信サービスプロバイダの設備コストが削減されるという効果を得る。
【実施例２】
【００３９】
上記実施例１では、光通信ネットワークシステムに光クロスコネクトノード（図３）を用いることによって、光クロスコネクトノード（図３）の両側に配設されている局間（図１のＸ局とＺ局間）における波長パスの設定が、短時間に実行できるようになった。更に、Ｘ局のエンドユーザからＺ局のエンドユーザに至る波長パスの設定では、光クロスコネクトスイッチの光方路切替さえ実行すれば波長パスの設定が出来るようになった。そこで、本実施例では、光通信ネットワークシステムを上記光クロスコネクトノードの隣接接続で構成することとする。こうすることによって光通信ネットワークシステムに接続されるエンドユーザ間での波長パスの設定では、光クロスコネクトスイッチの光方路切替のみで簡単に実行可能になるからである。
【００４０】
図４は、実施例２の光通信ネットワークシステムのシステム構成図である。
図に示すように、実施例２の光通信ネットワークシステムは、光線路１Ｂ−１Ａを介して接続される光クロスコネクトノード（１Ａ）と、光クロスコネクトノード（１Ｂ）とが、それぞれ光線路１Ａ−２、及び光線路２−１Ｂを介して光クロスコネクトノード（２）と接続される。又、光線路１Ｃ−１Ｄを介して接続される光クロスコネクトノード（１Ｃ）と、光クロスコネクトノード（１Ｄ）とが、それぞれ光線路２−１Ｃ、及び光線路１Ｄ−２を介して光クロスコネクトノード（２）と接続される。又、各光クロスコネクトノードのクライアント接続ポートには図示しないルータを介してエンドユーザの端末装置が接続されている。更に、これらの構成部分は、共通監視制御網ＮＴに通信接続され、監視制御端末装置ＲＷＯを介してネットワーク管理者に監視される。
【００４１】
光クロスコネクトノード（１Ａ）は、クライアント接続ポート１Ａに図示しないルータを介して接続されるエンドユーザ端末装置を本実施例の光通信ネットワークシステムに接続する光ノードである。光クロスコネクトノード（１Ｂ）は、クライアント接続ポート１Ｂに図示しないルータを介して接続されるエンドユーザ端末装置を本実施例の光通信ネットワークシステムに接続する光ノードである。光クロスコネクトノード（１Ｃ）は、クライアント接続ポート１Ｃに図示しないルータを介して接続されるエンドユーザ端末装置を本実施例の光通信ネットワークシステムに接続する光ノードである。光クロスコネクトノード（１Ｄ）は、クライアント接続ポート１Ｄに図示しないルータを介して接続されるエンドユーザ端末装置を本実施例の光通信ネットワークシステムに接続する光ノードである。
【００４２】
以下に、上記光クロスコネクトノード（１Ａ）の内容について説明する。
図５は、実施例２の光クロスコネクトノードの説明図（その１）である。
図に示すように、光クロスコネクトスイッチＯＸＣの一方のポートには、ＷＤＭ装置１Ａ−１のＢポートが、他方のポートにはＷＤＭ装置１Ａ−２のＢポートが、それぞれ接続されている。光クロスコネクトスイッチＯＸＣは、ＷＤＭ装置１Ａ−１のλ１トランスポンダ、λ２トランスポンダ、λ３トランスポンダ・・・λｎトランスポンダ、からそれぞれ波長λ０の単波光信号を受入れて光方路変換してＷＤＭ装置１Ａ−２のλ１トランスポンダ、λ２トランスポンダ、λ３トランスポンダ・・・λｎトランスポンダへ出力する。あるいは又、ＷＤＭ装置１Ａ−２のλ１トランスポンダ、λ２トランスポンダ、λ３トランスポンダ・・・λｎトランスポンダからそれぞれ波長λ０の単波光信号を受入れて方路変換してＷＤＭ装置１Ａ−１のλ１トランスポンダ、λ２トランスポンダ、λ３トランスポンダ・・・λｎトランスポンダへ出力する。ここで、光方路変換は、監視制御端末装置ＲＷＯ（図４）から共通監視制御網ＮＴ（図４）を介して、監視・制御部２０が受入れる方路切替信号Ｓ３に基づいて実行される。ここでＷＤＭ装置の内容は、実施例１と同様なので説明を省略する。又、光クロスコネクトノード（１Ｂ）、光クロスコネクトノード（１Ｃ）、光クロスコネクトノード（１Ｄ）の内容は、上記光クロスコネクトノード（１Ａ）と全く同様なので説明を省略する。
【００４３】
図４に戻って、光クロスコネクトノード（２）は、上記光クロスコネクトノード（１Ａ、１Ｂ、１Ｃ、１Ｄ）のチャネルを増設し、ネットワークリングを並列接続するノードである。
図６は、実施例２の光コネクトノードの説明図（その２）である。
図に示すように、光クロスコネクトスイッチＯＸＣ（２）の一方のポートには、ＷＤＭ装置２−３のＢポート、及びＷＤＭ装置２−１のＢポートが、他方のポートにはＷＤＭ装置２−４のＢポート、及びＷＤＭ装置２−２のＢポートが、それぞれ接続されている。ＷＤＭ装置２−３のλ１トランスポンダ、λ２トランスポンダ、λ３トランスポンダ・・・λｎトランスポンダ、及びＷＤＭ装置２−１、のλ１トランスポンダ、λ２トランスポンダ、λ３トランスポンダ・・・λｎトランスポンダから、それぞれ、波長λ０の単波光信号を受入れて光方路変換し、ＷＤＭ装置２−４のλ１トランスポンダ、λ２トランスポンダ、λ３トランスポンダ・・・λｎトランスポンダ、及びＷＤＭ装置２−２のλ１トランスポンダ、λ２トランスポンダ、λ３トランスポンダ・・・λｎトランスポンダへ出力する。あるいは又、ＷＤＭ装置２−４、のλ１トランスポンダ、λ２トランスポンダ、λ３トランスポンダ・・・λｎトランスポンダ、及び、ＷＤＭ装置２−２、のλ１トランスポンダ、λ２トランスポンダ、λ３トランスポンダ・・・λｎトランスポンダから、それぞれ、波長λ０の単波光信号を受入れて方路変換してＷＤＭ装置２−３のλ１トランスポンダ、λ２トランスポンダ、λ３トランスポンダ・・・λｎトランスポンダ、及び、ＷＤＭ装置２−１のλ１トランスポンダ、λ２トランスポンダ、λ３トランスポンダ・・・λｎトランスポンダ、へ出力する。ここで、方路変換は、監視制御端末装置ＲＷＯ（図４）から共通監視制御網ＮＴ（図４）を介して、監視・制御部２０が受入れる方路切替信号Ｓ３に基づいて実行される。
【００４４】
ここで監視制御端末装置ＲＷＯ（図４）、及び、共通監視制御網ＮＴ（図４）は、実施例１と同様なので説明を省略し、以下に、一例としてネットワーク管理者が光クロスコネクトノード（１Ｂ）に図示しないルータを介して接続されているエンドユーザ端末から、光クロスコネクトノード（１Ｃ）に図示しないルータを介して接続されているエンドユーザ端末波長パスを設定する手順について説明する。
【００４５】
手順１
ネットワーク管理者が、光クロスコネクトノード（１Ｂ）に接続されている図示しないルータから光クロスコネクトノード（１Ｃ）に接続されている図示しないルータとの間に波長パスＬ４の設定を要求すると、追加波長パス生成部ＲＷＯ−３は、接続ノード情報記憶部ＲＷＯ−１、及び、既存波長パス記憶部ＲＷＯ−２の内容を参酌し、各ノードに対してパス設定メッセージを送出し、始点から終点に向けてホップバイホップで波長パスを生成する。最終的には、光クロスコネクトノード（１Ｂ）のクライアント接続ポート１Ｂから、ＷＤＭ装置１Ｂ−２、光線路２−１Ｂ、ＷＤＭ装置２−２、光クロスコネクトスイッチＯＸＣ−２、ＷＤＭ装置２−３、光線路２−１Ｃ、ＷＤＭ装置１Ｃ−２を介して光クロスコネクトノード（１Ｃ）のクライアント接続ポート１Ｃに至る波長パスＬ４が生成される。
【００４６】
手順２
追加波長パス生成部ＲＷＯ−３が、波長パスＬ４の生成を終了すると、追加波長パス設定部ＲＷＯ−４は、経路内に配設されている各トランスポンダに対してパス設定信号Ｓ１（図２）を送出し、各トランスポンダ中のレーザダイオードを発光させる。更に、各光クロスコネクトスイッチに対して方路切替信号Ｓ３（図６）を送出して波長パスＬ４を設定する。
【００４７】
手順３
追加波長パス設定部ＲＷＯ−４は、この波長パスＬ４を既存波長パス記憶部ＲＷＯ−２へ格納して波長パスＬ３の設定を完了する。
【００４８】
上記説明では、波長パスの設定のみについて説明したが、波長パスを解除する場合には、ネットワーク管理者が削除を求める波長パスについて、追加波長パス設定部ＲＷＯ−４が、削除が求められている波長パスに含まれているトランスポンダに、解除メッセージ信号Ｓ２を送出して各トランスポンダ中のレーザダイオードの発光を停止させ、同時に、各光クロスコネクトスイッチに対して方路切替信号Ｓ３（図６）を送出して波長パスを解除する。又、波長パスの変更については、波長パスの設定、及び波長パスを解除に準じて実行される。上記説明では、光クロスコネクトノード（２）が、２つのネットワークリングを接続する場合に限定して説明したが、本発明は、この例に限定されるものでは無い。即ち、クロスコネクトノード２のチャネルを増加させることによってｎ個のネットワークリングを接続することが可能になる。
【００４９】
以上説明したように、本実施例によれば、光クロスコネクトノード同士を接続するネットワークを構成することによって、光クロスコネクトスイッチの光方路切替のみによってエンドユーザｔｏエンドユーザの波長パスの設定が出来るという効果を得る。
【産業上の利用可能性】
【００５０】
以上の説明では、光クロスコネクトノード（２）が、２つのネットワークリングを接続する場合に限定して説明したが、本発明は、この例に限定されるものでは無い。即ち、光クロスコネクトノードのポート数を増加させることによって、ネットワークリングの数を増加できることは記すまでもない。
【図面の簡単な説明】
【００５１】
【図１】実施例１の光通信ネットワークシステムのシステム構成図である。
【図２】ＷＤＭ装置の説明図である。
【図３】実施例１の光クロスコネクトノードの説明図である。
【図４】実施例２の光通信ネットワークシステムのシステム構成図である。
【図５】実施例２の光クロスコネクトノードの説明図（その１）である。
【図６】実施例２の光コネクトノードの説明図（その２）である。
【図７】従来の光波長パス設定方法の説明図である。
【符号の説明】
【００５２】
ＲＴＯ    監視制御端末装置
ＲＴＯ−１    接続ノード情報記憶部
ＲＴＯ−２    既存波長パス記憶部
ＲＴＯ−３    追加波長パス生成部
ＲＴＯ−４    追加波長パス設定部
Ｘ−１    ＷＤＭ装置
Ｙ−１    ＷＤＭ装置
Ｙ−２    ＷＤＭ装置
Ｚ−１    ＷＤＭ装置
ＲＸ−１    ルータ
ＲＸ−２    ルータ
ＲＸ−３    ルータ
ＲＹ−１    ルータ
ＲＹ−２    ルータ
ＲＹ−３    ルータ
ＲＺ−１    ルータ
ＲＺ−２    ルータ
ＲＺ−３    ルータ
ＮＴ    共通監視制御網
Ｌ１    波長パス
Ｌ２    波長パス
Ｌ３    波長パス
Ｌ４    波長パス
【図１】
2007259272.tif 000003
【図２】
2007259272.tif 000004
【図３】
2007259272.tif 000005
【図４】
2007259272.tif 000006
【図５】
2007259272.tif 000007
【図６】
2007259272.tif 000008
【図７】
2007259272.tif 000009